(57)【要約】【課題】  保存された元の番組を変更せずに、編集した番組を再生可能とする。【解決手段】  編集したい番組を選定し、再生を開始する。番組の一部を削除する編集を行う場合、再生中にカット開始位置になると、その位置を選定して、メモリに記憶する、再生を続け、カット終了位置になると、その位置を選定して、メモリに記憶する。編集のシミュレートが終わると、編集ファイルを作成する。再生中に選定した位置情報および削除するという動作情報を含む編集情報をテキストデータとして、編集ファイルに格納する。この編集ファイルを記録媒体に保存する。再生時には、編集情報にしたがって記録媒体に保存された番組を編集しながら再生する。【選択図】  図６
2005056524.tif 000002
【特許請求の範囲】
【請求項１】
記録媒体に保存された記録データに対する編集情報を作成する編集手段と、前記編集情報を保存する保存手段と、前記編集情報にしたがって前記記録データを再生する実行手段とを備えたことを特徴とする編集再生装置。
【請求項２】
記録媒体に保存された記録データを再生する再生手段と、再生中に編集内容を設定する設定手段と、複数の編集内容をまとめて編集情報として、この編集情報を保存する保存手段と、前記編集情報の編集内容にしたがって前記記録データを抽出し、この記録データを再生する実行手段とを備えたことを特徴とする編集再生装置。
【請求項３】
編集情報は位置情報と動作情報とを含み、実行手段は、前記編集情報の位置情報と記録データに付加された位置情報とを比較して、該当する記録データを抽出し、この記録データに対して動作情報に応じた処理を行い、編集された記録データを出力することを特徴とする請求項１または２記載の編集再生装置。
【請求項４】
保存手段は、編集情報を変更したとき、上書き保存あるいは新規に保存することを特徴とする請求項１〜３のいずれかに記載の編集再生装置。
【請求項５】
編集情報はテキストデータとされ、該編集情報は、記録データを保存した記録媒体とは異なる記録媒体に保存されることを特徴とする請求項４記載の編集再生装置。
【発明の詳細な説明】
【技術分野】
【０００１】
本発明は、記録媒体に記録された映像データ等の記録データを編集して、再生する編集再生装置に関する。
【背景技術】
【０００２】
ハードディスク、ＤＶＤ等のランダムアクセス可能な記録媒体を備えた編集再生装置では、記録媒体に記録された記録データに対して削除、分割、接合といった編集を行える。編集された記録データは記録媒体に保存され、この記録データが再生されることにより、ユーザは編集後の記録データを視聴できる。
【０００３】
記録データの編集を行うとき、記録データに対して編集内容に応じた処理が直接行われる。そのため、編集後の記録データが保存され、元の記録データは変更されてしまう。特許文献１では、元の記録データとこれをコピーした編集用記録データの２つを保存する。編集用記録データに対して編集を行い、その編集内容が編集情報として保存される。
【特許文献１】特開２００１−２０９８１８号公報（段落００１０）
【発明の開示】
【発明が解決しようとする課題】
【０００４】
上記のように、元の記録データ以外に編集用記録データを保存すれば、元の記録データに基づいていろんな編集を行うことができる。しかし、そのたびに編集後の記録データを保存しなければならず、記録媒体の空き容量が消費され、新しく記録データを保存する際に容量不足を招くおそれがある。
【０００５】
本発明は、上記に鑑み、記録データ自体には手を加えないで編集ができ、編集した記録データを再生できる編集再生装置の提供を目的とする。
【課題を解決するための手段】
【０００６】
本発明は、記録媒体に保存された記録データに対する編集情報を作成する編集手段と、前記編集情報を保存する保存手段と、前記編集情報にしたがって前記記録データを再生する実行手段とを備えたものである。
【０００７】
編集を行う際に、元の記録データを直接編集せずに、所望の編集内容に沿った編集情報を作成する。そして、再生するときには、編集情報にしたがって記録データを呼び出して編集内容に応じて処理し、処理された記録データを再生する。この編集後の記録データは保存されないので、元の記録データには手が加えられていない。
【０００８】
編集手段を具体的にすると、記録媒体に保存された記録データを再生する再生手段と、再生中に編集内容を設定する設定手段とからなる。すなわち、記録データを再生しながら編集内容を設定することにより、編集をシミュレートできる。そのため、編集内容を確認でき、編集ミスをなくせる。そして、保存手段では、複数の編集内容をまとめて編集情報として、この編集情報を保存する。実行手段では、編集情報の編集内容にしたがって記録データを抽出し、抽出した記録データを編集内容に応じて処理し、この記録データを再生する。
【０００９】
編集情報は、位置情報と動作情報とを含む。位置情報は、編集したい記録データの所在を表す。動作情報は、削除、分割等の具体的な処理を表す。したがって、実行手段は、編集情報の位置情報と記録データに付加された位置情報とを比較して、該当する記録データを抽出し、この記録データに対して動作情報に応じた処理を行い、編集された記録データを出力する。
【００１０】
編集の変更は、編集情報に対して行えばよい。編集情報を変更したとき、保存手段は、上書き保存する。これは、元の編集情報に間違い等があった場合に行う。あるいは、保存手段は、変更した編集情報を新規に保存する。元の編集情報はそのまま残しておいて、別の編集をしたいときに役立つ。
【００１１】
なお、編集情報はテキストデータとされる。そして、編集情報は、記録データを保存した記録媒体とは異なる記録媒体に保存される。これによって、編集情報を少ない容量で保存することができ、多数の編集情報を作成しても、記録媒体の空き容量を消費しない。しかも、これらの編集情報の管理が容易となる。また、編集情報を別の記録媒体に保存しておくと、記録データが保存された記録媒体が着脱可能なものであるとき、記録媒体を入れ替えても、編集や再生ができる。
【発明の効果】
【００１２】
本発明によると、内部処理によって編集情報の作成、管理、実行を行え、元の記録データを変更する必要がない。したがって、元の記録データを残したまま何度でも編集ができ、しかも編集した記録データを保存しなくてよいので、記録媒体の空き容量を消費することがなく、多数の記録データを保存できる。
【発明を実施するための最良の形態】
【００１３】
本発明の一実施形態の編集再生装置を図１に示す。本編集再生装置は、ランダムアクセス可能な記録媒体としてハードディスク１を使用した記録再生装置であって、チューナ２あるいは外部入力端子からの入力を切り換える切換スイッチ３と、入力されたアナログビデオ信号を非圧縮のデジタルビデオ信号に変換するビデオデコーダ４と、デジタルビデオ信号を所定の方式により圧縮するエンコーダ５と、圧縮されたビデオ信号のデータをハードディスク１に対して入出力するディスクドライブインターフェース６と、圧縮されたビデオ信号のデータを伸長してデジタルビデオ信号にするデコーダ７と、デジタルビデオ信号をアナログビデオ信号に変換して、外部出力端子を通じてモニタ８に出力するビデオエンコーダ９と、各種の設定、チャンネルの選択、記録、再生等を行うための指示を入力するリモコンあるいは本体パネルといった操作部１０と、これらを駆動制御するマイコンからなる制御部１１と、ビデオ信号のデータを一時的に保存するＲＡＭ１２とを備えている。
【００１４】
番組等の映像を記録する場合、操作部１０によってチャンネルが選局され、チューナ２は、選局されたチャンネルにおける地上波放送や衛星放送からの信号をアンテナを通じて受信する。また、外部入力端子に接続されたケーブルネットワークあるいは外部機器からの信号を受信する。ビデオデコーダ４およびエンコーダ５により、受信したアナログビデオ信号が所定の方式によって信号処理される。信号処理された記録データは、ディスクドライブインターフェース６を通じてハードディスク１に保存される。そして、一連の記録データによって、１つの記録ファイルが作成され、制御部１１は、記録ファイルごとに管理を行う。
【００１５】
記録ファイルを再生する場合、操作部１０によって選択された記録ファイルをハードディスク１から読み取る。デコーダ７およびビデオエンコーダ８により、データを所定の方式によって信号処理して、アナログビデオ信号にする。このアナログビデオ信号が外部出力端子に接続されたモニタ８に出力され、その画面やスピーカによって視聴が可能となる。
【００１６】
制御部１１は、上記のように記録データの記録、再生を行うように制御する他に、保存された記録データに手を加えずに記録データの編集を行う。すなわち、記録データに対する編集情報を作成する編集機能と、編集情報を保存する保存機能と、編集情報にしたがって記録データを再生する実行機能とを有する。
【００１７】
編集機能では、選択された記録ファイルを再生し、その再生中に操作部１０から入力された指示を記憶する。そして、指示されたタイミングおよび内容に基づいて、編集内容を設定する。保存機能では、順に設定された複数の編集内容をまとめて１つの編集情報とし、この編集情報を編集ファイルに格納して、編集ファイルを保存する。編集ファイルの保存先は、記録データが保存されている記録媒体とは異なる記録媒体である。例えば、ハードディスク１は複数のドライブに分割されており、１つのドライブに記録データが保存されているとき、編集情報は、異なるドライブに保存される。この場合、同じハードディスク１に保存されるが、各ドライブは独立して存在しているので、異なる記録媒体に保存されることになる。なお、ハードディスク以外の記録媒体、例えば不揮発性メモリや、ＤＶＤ、ＣＤ等の書き換え可能な記録媒体に編集情報を保存してもよい。
【００１８】
実行機能では、編集内容にしたがって記録データに対する編集を行って、編集された記録データを再生する。ここで、編集情報は、複数の編集内容によって構成され、編集内容は位置情報と動作情報とを含む。位置情報は、記録ファイル中での特定の記録データの所在を表すものである。記録データが動画や音楽であれば、位置情報は記録開始からの時間となる。なお、記録データが記録されるときに、時間データも同時に付加されて記録されるので、記録データは位置情報を有する。また、記録データが静止画であれば、位置情報は記録ファイルにおける各静止画の順番である。
【００１９】
動作情報には、記録ファイルから一部の記録データを消去（カット）する削除、１つの記録ファイルを複数のチャプタに分ける分割、複数の記録ファイルあるいは複数のチャプタをつないで１つの記録ファイルにする接合、記録ファイルあるいはチャプタをコピーするコピーがある。この他に、複数のチャプタの並び替えがある。
【００２０】
すなわち、実行機能では、設定された編集内容の位置情報と記録データに付加された位置情報とを比較して、位置情報が一致する記録データを抽出し、この記録データに対して動作情報に応じた処理を行う。この処理を設定された編集内容の順番にしたがって行い、編集された記録データを出力することにより、記録データの再生を行う。なお、編集された記録データは、ＲＡＭ等のメモリに一時保存されてから出力される。
【００２１】
上記の保存機能および実行機能は、図１に示すテキストデータ変換部１３、テキストデータ抽出部１４およびテキストデータ比較部１５によって実現される。これらは、専用のＩＣによって構成され、制御部１１によって制御される。テキストデータ変換部１３は、編集内容をテキストデータに変換する。テキストデータ抽出部１４は、テキストデータから位置情報、動作情報、記録ファイル名、編集ファイル名を抽出する。テキストデータ比較部１５は、抽出された位置情報を記録データに付加された位置情報とのパターンマッチングによって比較する。
【００２２】
次に、記録ファイルが録画番組である場合、この録画番組を編集するときの手順を説明する。ハードディスク１には複数の録画番組が保存されている。まず、モニタ８に表示されたメインメニュー画面から操作部１０によって編集を選択すると、図２に示す編集機能選択画面が表示される。ここで、「編集」とは元の記録データを直接編集する場合であり、「編集シミュレート」とは上記の元の記録データを直接編集しない場合である。「編集シミュレート」を選択すると、図３に示す編集シミュレート機能選択画面が表示される。「編集シミュレート設定」では、編集内容の設定を行う。「編集シミュレート実行」では、設定された編集内容を実行する。「編集シミュレートファイル」では、作成された編集ファイルを整理する。
【００２３】
「編集シミュレート設定」を選択すると、図４に示す編集内容の設定画面が表示される。なお、「その他」では、録画番組の削除保護、ジャンル変更、プログラム再生等のその他の編集を設定する。
【００２４】
ここで、希望する編集内容を選択する。例えば、番組削除を選択すると、図５に示すサブメニュー画面が表示される。そして、制御部１１は、操作部１０からの入力に基づいて、図６に示す手順で編集をシミュレートしながら編集情報を作成する。まず、編集したい番組を選定する。編集対象の録画番組の番号を入力したり、録画番組の一覧が表示されたリストから選択することによって選定が行われる。番組が選定されると、その番組が再生される。図７に画面となり、カット開始位置を選定するための表示がされる。そして、削除したい場面になると、決定キーを押して、カット開始位置を選定する。このときの開始時間が位置情報としてメモリに記憶される。引き続いて番組が再生され、図８に示す画面となり、カット終了位置を選定するための表示がされる。削除したい場面が終わると、決定キーを押して、カット終了位置を選定する。このときの終了時間が位置情報としてメモリに記憶される。これによって１つの編集内容が設定される。その後、図９に示す画面となり、さらに削除したい場面があれば、同様にカット開始位置およびカット終了位置を選定する。
【００２５】
この録画番組に対する編集が終わると、再生が停止され、図５に示すサブメニュー画面となる。そして、編集ファイル名、例えばＮｏ．１を入力する。設定した編集内容に誤りがないとき、設定された編集内容をすべて含む編集情報を格納する編集ファイルが作成される。このとき、編集内容の位置情報や動作情報はテキストデータに変換され、テキストファイルとして、ハードディスク１の番組ファイルが保存されているブロックとは異なるブロックに保存される。テキストデータは、録画番組の記録データとリンクする形式で保存される。編集内容に誤りがある場合には、再度録画番組の選定からやり直す。図１０に編集ファイルに保存された編集情報を示す。この編集ファイルでは、Ｎｏ．２の録画番組に対して、２箇所の番組削除を行う編集となっている。
【００２６】
ここで、作成した編集情報の修正あるいは削除を行う場合、図３に示す「編集シミュレートファイル整理」を選択する。図１１に示す画面となり、保存されている編集ファイルのリストが表示される。希望する編集ファイルを選択して、編集情報を修正したり、編集ファイルを削除する。修正する場合、図４の編集内容の設定画面が表示され、編集のシミュレートをしながら番組削除位置の変更といった修正を行う。これ以外にも、２つの編集ファイルをつなぎ合わせて１つの編集ファイルとする、ダビングする際のプログラム設定を編集ファイル名の指定のみで可能とする等の修正を行える。修正された編集情報は、同じ編集ファイルに保存する場合には、上書き保存される。元の編集情報を残しておきたい場合には、新たな編集ファイルに保存すればよい。
【００２７】
また、編集ファイルの編集情報を画面に表示させて、編集内容を直接変更するようにしてもよい。例えば、図１０の編集情報において、カット開始位置の時間を変更する。そして、変更後のテキストデータを上書き保存すれば、編集情報を簡単に変更できる。変更する編集情報が具体的にわかっている場合に適している。
【００２８】
次に、上記のように編集をシミュレートして作成した編集情報にしたがって実際の録画番組を再生するときの手順を図１２、１３に基づいて説明する。まず、図３に示す「編集シミュレート実行」を選択する。図１２に示す編集実行画面が表示される。実行したい編集ファイルを選択する。選択された編集ファイルのテキストデータがハードディスク１からテキストデータ抽出部１４に読み込まれる。テキストデータから位置情報および動作情報が抽出される。抽出された位置情報と番組ファイルの記録データに付加されている位置情報とをパターンマッチングによる比較する。
【００２９】
位置情報が一致する記録データが検索されると、この記録データがハードディスク１から出力され、記録データに対して動作情報に応じた処理が行われる。例えば、番組削除であれば、カット開始位置からカット終了位置までの記録データを削除する。このように編集された記録データが作成され、この記録データを所定の方式によって信号処理することにより、編集された録画番組が再生される。なお、編集された記録データは保存されない。
【００３０】
以上のように、編集をシミュレートしながら行うことにより、編集中であっても編集後の状態を確認できる。そのため、編集ミスが少なくなる。また、編集を失敗したときには、編集情報における該当する編集内容を修正すればよく、簡単に修正でき、ユーザの使い勝手がよくなる。
【００３１】
なお、本発明は、上記実施形態に限定されるものではなく、本発明の範囲内で上記実施形態に多くの修正および変更を加え得ることは勿論である。記録媒体は、ハードディスクに限らず、ランダムアクセス可能なＤＶＤ、ＣＤ、半導体メモリとしてもよい。そして、記録媒体に記録する記録データは、放送番組だけでなく、音楽データ、文書データ、画像データであってもよい。
【００３２】
編集情報を作成するとき、編集したい記録データの位置情報がわかっているときには、再生しなくても、直接位置情報を入力してもよい。
【図面の簡単な説明】
【００３３】
【図１】本発明の一実施形態の記録再生装置の概略ブロック図
【図２】編集機能選択画面を示す図
【図３】編集シミュレート機能選択画面を示す図
【図４】編集内容の設定画面を示す図
【図５】サブメニュー画面を示す図
【図６】編集シミュレートのフローチャート
【図７】カット開始位置設定画面を示す図
【図８】カット終了位置設定画面を示す図
【図９】カット追加設定画面を示す図
【図１０】編集情報のテキストデータの一例を示す図
【図１１】編集シミュレートファイル整理画面を示す図
【図１２】編集シミュレート実行画面を示す図
【図１３】編集シミュレート再生時のフローチャート
【符号の説明】
【００３４】
１    ハードディスク
８    モニタ
１０    操作部
１１    制御部
１３    テキストデータ変換部
１４    テキストデータ抽出部
１５    テキストデータ比較部
【図１】
2005056524.tif 000003
【図２】
2005056524.tif 000004
【図３】
2005056524.tif 000005
【図４】
2005056524.tif 000006
【図５】
2005056524.tif 000007
【図６】
2005056524.tif 000008
【図７】
2005056524.tif 000009
【図８】
2005056524.tif 000010
【図９】
2005056524.tif 000011
【図１０】
2005056524.tif 000012
【図１１】
2005056524.tif 000013
【図１２】
2005056524.tif 000014
【図１３】
2005056524.tif 000015